(57)【要約】【課題】衝撃吸収力が充分で竿本体が損傷することがなく、また衝撃吸収体そのものも破損し難くした竿尻構造を提供する。【解決手段】尻栓３の底部３ａに設けた貫通孔４に保持させた底体５の下部５ａを尻栓３の下方に突設し、この竿本体１の下端部に固着したスリーブ６に前記尻栓３を取り付け、前記竿本体１の下端を前記底体５の上面５ｂに当接させたものとし、前記尻栓３、底体５およびスリーブ６をいずれも衝撃吸収力を有するものとし、前記衝撃吸収力を底体５、尻栓３、スリーブ６の順にしている。【選択図】図２
0003126315.tif 000002
【実用新案登録請求の範囲】
【請求項１】
尻栓（３）の底部（３ａ）に設けた貫通孔（４）に保持させた底体（５）の下部（５ａ）を尻栓（３）の下方に突設し、この竿本体（１）の下端部に固着したスリーブ（６）に前記尻栓（３）を取り付け、前記竿本体（１）の下端を前記底体（５）の上面（５ｂ）に当接させたものとし、前記尻栓（３）、底体（５）およびスリーブ（６）をいずれも衝撃吸収力を有するものとし、前記衝撃吸収力を底体（５）、尻栓（３）、スリーブ（６）の順にしたことを特徴とする竿尻構造。
【請求項２】
前記竿本体（１）の下端部と前記底体（５）の上面（５ｂ）の間にクッション体（７）を介在させたことを特徴とする請求項１記載の竿尻構造。
【請求項３】
前記竿本体（１）を、内部に複数の繰出し竿（１ａ…）を備えたものとし、これら繰出し竿（１ａ…）の下端を前記底体（５）の（上面５ｂ）に当接させたものとしたことを特徴とする請求項１記載の竿尻構造。
【請求項４】
前記竿本体（１）を、内部に複数の繰出し竿（１ａ…）を備えたものとし、これら繰出し竿（１ａ…）の下端を前記クッション体（７）の上面（７ａ）に当接させたものとしたことを特徴とする請求項２記載の竿尻構造。
【考案の詳細な説明】
【技術分野】
【０００１】
この考案は、配線用作業竿、釣り竿、物干し竿等に用いられる竿の竿尻構造に関するものである。
【背景技術】
【０００２】
従来、配線用作業竿としては、例えば図４に示したように、複数本のつなぎ竿１１を伸縮自在に連結してなる竿本体１２と、この竿本体１２の先端１３に付設されて電線を引掛ける先端具１４とを備え、竿本体１２の先端１３に、自由状態で円弧状保つ湾曲部１５を設けたものが存在する。そして、その竿尻構造は、竿本体１２の下端に合成樹脂製のキャップ１６を単に被せたものとしている（特許文献１）。
【０００３】
さらに、釣り竿としては、例えば図５に示したように、テーパー状を呈する手元竿２１と穂先２２および三本の中間竿２３をそれぞれ結合して形成したものとし、前記手元竿２１における手元部の竿尻２４は尻栓２５を装着したものとしている。そして、その竿尻構造は、図６に示したように、竿尻２４を閉鎖する閉鎖部２５ａと、竿尻端面と係合する鍔部２５ｂとを有した尻栓２５に頭付ねじ棒２６を回転自由に支持して、この頭付ねじ棒２６の中間に、竿尻２４の内側に挿入する弾性筒体２７を支持すると共に頭付ねじ棒２６の先端部にナット体２８を螺合したものとしている（特許文献２）。
【特許文献１】特開平８−１６８１２９号公報（第３頁、図１）
【特許文献２】実開昭５９−１９３２７４号公報（第４頁、第２図）
【考案の開示】
【考案が解決しようとする課題】
【０００４】
しかしながら、上記従来の竿尻構造は、竿を硬い地面等に落下させた場合の衝撃吸収体が、図４に示したものでは合成樹脂製のキャップ１６のみであり、図６に示したものでも弾性筒体２７のみであるので、衝撃吸収力が充分ではなく、つなぎ竿１１や竿本体１２、手元竿２１や中間竿２３が損傷してしまったり、また衝撃吸収体そのものが破損してしまうという問題点を有していた。
【０００５】
そこで、この考案は、上記従来の問題点を解決するものであり、衝撃吸収力が充分で竿本体が損傷することがなく、また衝撃吸収体そのものも破損し難くした竿尻構造を提供することを目的としてなされたものである。
【課題を解決するための手段】
【０００６】
そのため、この考案の竿尻構造は、尻栓３の底部３ａに設けた貫通孔４に保持させた底体５の下部５ａを尻栓３の下方に突設し、この竿本体１の下端部に固着したスリーブ６に前記尻栓３を取り付け、前記竿本体１の下端を前記底体５の上面５ｂに当接させたものとし、前記尻栓３、底体５およびスリーブ６をいずれも衝撃吸収力を有するものとし、前記衝撃吸収力を底体５、尻栓３、スリーブ６の順にしている。
【０００７】
そして、この考案の竿尻構造は、前記竿本体１の下端部と前記底体５の上面５ｂの間にクッション体７を介在させたものとしている。
【０００８】
さらに、この考案の竿尻構造は、前記竿本体１を、内部に複数の繰出し竿１ａ…を備えたものとし、これら繰出し竿１ａ…の下端を前記底体５の上面５ｂに当接させたものとしている。
【０００９】
また、この考案の竿尻構造は、前記竿本体１を、内部に複数の繰出し竿１ａ…を備えたものとし、これら繰出し竿１ａ…の下端を前記クッション体７の上面７ａに当接させたものとしている。
【考案の効果】
【００１０】
この考案の竿尻構造は、以上に述べたように構成されているので、衝撃吸収力が充分で竿本体が損傷することがなく、また衝撃吸収体そのものも破損し難いものとなる。
【００１１】
さらに、この考案の竿尻構造は、竿本体の内部に複数の繰出し竿を備えたものでは、これら繰出し竿も損傷することのないものとなり、繰出し竿の繰出しに支障をきたすことがないものとなる。
【考案を実施するための最良の形態】
【００１２】
以下、この考案の竿尻構造の実施の形態を、図面に基づいて詳細に説明する。
【００１３】
図１はこの考案の竿尻構造を実施した配線用作業竿を示しており、竿本体１の内部に複数の繰出し竿１ａ…を備えたものとし、最前方に繰り出される繰出し竿１ａの先端に、電線を引っ掛ける先端部２を設けたものとしている。
【００１４】
前記竿本体１は、先端になるほど細くしているが、物干し竿のような汎用竿で竿本体１のみで実施する場合には同じ太さでよく、この実施の形態のように先端になるほど細くする必要はない。
【００１５】
前記繰出し竿１ａ…も、それぞれ先端になるほど細くしているが、この配線用作業竿または釣り竿、物干し竿等のいずれに実施する場合にも、前記繰出し竿１ａ…自体を備えていないものとしてもよい。
【００１６】
そして、前記繰出し竿１ａ…は、順次外径寸法が小さくなるようにしており、前記竿本体１にこれらの繰出し竿１ａ…を伸縮自在に連結したものとしている。
【００１７】
このように構成した配線用作業竿において、この考案の竿尻構造は、図２に示したように、尻栓３の底部３ａに設けた貫通孔４に保持させた底体５の下部５ａを尻栓３の下方に突設し、この竿本体１の下端部に固着したスリーブ６に前記尻栓３を螺着、嵌着、係着等して取り付け、前記竿本体１および繰出し竿１ａ…の下端を前記底体５の上面５ｂに当接させたものとしている。
【００１８】
前記尻栓３は、例えばＰＣ（ポリカーボネート）樹脂、ＰＥ（ポリエチレン）樹脂等からなるものとしており、前記底体５は、例えば天然または合成ゴム、軟質ＰＶＣ（ポリ塩化ビニル）樹脂等からなるものとしており、前記スリーブ６は、例えばＡＢＳ（アクリロニトル・ブタジエン・スチレン共重合体）樹脂、ＰＳ（ポリスチレン）樹脂等からなるものとしているが、いずれも衝撃吸収力を有するものとしており、この衝撃吸収力を底体５、尻栓３、スリーブ６の順にしている。なお、前記尻栓３およびスリーブ６は、前記樹脂における実施例のように衝撃吸収力の違いを考慮しながら、真鍮、アルミ合金、亜鉛合金、鉄、ステンレス合金などの金属体からなるものとすることもできる。
【００１９】
さらに、この考案の竿尻構造は、図３に示したように、前記竿本体１の下端部と前記底体５の上面５ｂの間にクッション体７を介在させたものとし、前記竿本体１および繰出し竿１ａ…の下端を前記クッション体７の上面７ａに当接させたものとしている。
【００２０】
前記クッション体７は、例えば天然または合成ゴム、軟質ＰＶＣ（ポリ塩化ビニル）樹脂、シリコンゴム、発泡ＥＶＡ（エチレンビニルアセテート）、発泡ウレタン等からなるものとしており、前記尻栓３と同等もしくはそれ以上の衝撃吸収力を有するものとしている。
【００２１】
以上のように構成したこの考案の竿尻構造を実施した配線用作業竿は、その竿尻を固い地面に落下させたり、固いものにぶつけたり、また伸びた繰出し竿１ａ…を地面にバウンドさせて縮めて竿本体１に収納しようとした場合等に、先ず底体５が接触変形し、次に尻栓３が接触変形し、さらに尻栓３が吸収しきれなかった衝撃をスリーブ６が吸収することになり、底体５、尻栓３、スリーブ６の順、すなわち衝撃吸収力の大きいものから順に衝撃を受け止めることにより、効果的に衝撃を吸収することができる。
【００２２】
したがって、この考案の竿尻構造は、前記底体５の上面５ｂまたはクッション体７の上面７ａに当接させた竿本体１および繰出し竿１ａ…の下端は、損傷することがないものとなり、繰出し竿１ａ…の繰出しに支障をきたすことがないものとなる。
【００２３】
そして、前記尻栓３は、上記構成としているので、底体５に強い衝撃があっても割れることがなく、さらに強い衝撃によって尻栓３、底体５が歪むことがあっても、これらが歪むことによって衝撃をより吸収し、尻栓３、底体５は元の形状に戻るため、再使用可能となる。
【００２４】
なお、前記スリーブ６は、硬質体からなるものとしているので、寸法精度を高めることができ、竿本体１との接着力を確保することができる。
【図面の簡単な説明】
【００２５】
【図１】この考案の竿尻構造を実施した配線用作業竿の伸ばした状態の側面図である。
【図２】この考案の竿尻構造の一実施形態を示す断面図である。
【図３】この考案の竿尻構造の他の実施形態を示す断面図である。
【図４】従来の竿尻構造を実施した配線用作業竿の伸ばした状態の側面図である。
【図５】従来の竿尻構造を実施した釣竿の伸ばした状態の側面図である。
【図６】図５に示す釣竿の従来の竿尻構造の断面図である。
【符号の説明】
【００２６】
１  竿本体
１ａ  繰出竿
３  尻栓
３ａ  底部
４  貫通孔
５  底体
５ａ  下部
５ｂ  上面
６  スリーブ
７  クッション体
７ａ  上面
【図１】
0003126315.tif 000003
【図２】
0003126315.tif 000004
【図３】
0003126315.tif 000005
【図４】
0003126315.tif 000006
【図５】
0003126315.tif 000007
【図６】
0003126315.tif 000008